(57)【特許請求の範囲】
【請求項１】
電話交信負担の大きい国内地域Ｈに居る一方の電話交信希望者が、その国内地域Hに潜在する不特定多数の他方の電話交信希望者の中から所望の交信相手を求めて電話交信することを支援する電話交信支援方法であって、一方の電話交信希望者の電話機から、公衆電話回線を通じあるいはインターネット・データ通信網を通じて、発信者電話番号自動通知付電話呼出でもってなされる電話交信希望の呼出アクセスを、国内地域Ｈに設置されている交信希望受付サーバーで受けるステップ（Ｓ１）と；前記交信希望受付サーバーが前記一方の電話交信希望者の電話機からの呼出アクセスを受けて、前記一方の電話交信希望者の電話機の電話番号を認識し受信した上で、前記一方の電話交信希望者の電話機からの呼出アクセスを断つと共に、受信した前記一方の電話交信希望者の電話機の電話番号をインターネットを通じて電話交信負担の小さい外国地域に設置されている電話交換サーバーに転送するステップ（Ｓ２）と；前記電話交換サーバーが、前記交信希望受付サーバーから転送された前記一方の電話交信希望者の電話機の電話番号を受信し、その電話番号をもって、公衆国際電話回線を通じあるいはインターネット・データ通信網を通じて、前記電話交換サーバーから前記一方の電話交信希望者の電話機を呼び出して、前記一方の電話交信希望者の電話機を前記電話交換サーバーに接続するステップ（Ｓ３）と；前記電話交換サーバーが、前記一方の電話交信希望者の電話交信相手となり得る他方の電話交信希望者の電話機の電話番号が前記電話交換サーバーに既に記憶されているか否かを検索するステップ（Ｓ４）と；前記電話交換サーバーに前記他方の電話交信希望者の電話機の電話番号が既に記憶されている場合、前記電話交換サーバーから、公衆国際電話回線を通じてあるいはインターネット・データ通信網を通じて、待機第一順位の前記他方の電話交信希望者の電話機を呼び出して、その電話機を前記電話交換サーバーに接続し、前記電話交換サーバー介して前記一方の電話交信希望者の電話機と前記他方の電話交信希望者の電話機を接続するステップ（Ｓ５）とを含むことを特徴とする電話交信支援方法。
【請求項２】
電話交信負担の大きい国内地域Ｈに居る一方の電話交信希望者が、その国内地域Hに潜在する不特定多数の他方の電話交信希望者の中から所望の交信相手を求めて電話交信することを支援する電話交信支援方法であって、一方の電話交信希望者の電話機から、公衆電話回線を通じあるいはインターネット・データ通信網を通じて、発信者電話番号自動通知付電話呼出でもってなされる電話交信希望の呼出アクセスを、国内地域Ｈに設置されている交信希望受付サーバーで受けるステップ（Ｓ１）と；前記交信希望受付サーバーが前記一方の電話交信希望者の電話機からの呼出アクセスを受けて、前記一方の電話交信希望者の電話機の電話番号を認識し受信した上で、前記一方の電話交信希望者の電話機からの呼出アクセスを断つと共に、受信した前記一方の電話交信希望者の電話機の電話番号をインターネットを通じて電話交信負担の小さい外国地域に設置されている電話交換サーバーに転送するステップ（Ｓ２）と；前記電話交換サーバーが、前記交信希望受付サーバーから転送された前記一方の電話交信希望者の電話機の電話番号を受信し、その電話番号をもって、公衆国際電話回線を通じあるいはインターネット・データ通信網を通じて、前記電話交換サーバーから前記一方の電話交信希望者の電話機を呼び出して、前記一方の電話交信希望者の電話機を前記電話交換サーバーに接続するステップ（Ｓ３）と；前記電話交換サーバーが、前記一方の電話交信希望者の電話交信相手となり得る他方の電話交信希望者の電話機の電話番号が前記電話交換サーバーに既に記憶されているか否かを検索するステップ（Ｓ４）と；その検索の結果、前記電話交換サーバーに前記他方の電話交信希望者の電話番号が既に記憶されている場合、前記電話交換サーバーから、公衆国際電話回線を通じてあるいはインターネット・データ通信網を通じて、待機第一順位の前記他方の電話交信希望者の電話機を呼び出して、その電話機を前記電話交換サーバーに接続し、前記電話交換サーバー介して前記一方の電話交信希望者の電話機と前記他方の電話交信希望者の電話機を接続するステップ（Ｓ５）と；前記一方の電話交信希望者と前記他方の電話交信希望者の電話交信を通して、前記一方の電話交信希望者が、前記他方の電話交信希望者を所望の交信相手であるか否か判断するステップ（Ｓ６）と；前記一方の電話交信希望者が、前記他方の電話交信希望者を所望の交信相手ではないと判断した場合、前記一方の電話交信希望者の電話機から交信相手交替要望信号ｆを発し、前記電話交換サーバーが、その交信相手交替要望信号ｆを受信して、前記一方の電話交信希望者の電話機を、待機第二順位以下の前記他方の電話交信希望者の電話機に順次切換接続するステップ（Ｓ７´）とを含むことを特徴とする電話交信支援方法。
【請求項３】
電話交信負担の大きい国内地域Ｈに居る一方の電話交信希望者が、その国内地域Hに潜在する不特定多数の他方の電話交信希望者の中から所望の交信相手を求めて電話交信することを支援する電話交信支援装置であって、一方の電話交信希望者の電話機から、公衆電話回線を通じあるいはインターネット・データ通信網を通じて、発信者電話番号自動通知付電話呼出でもってなされる電話交信希望の呼出アクセスを、国内地域Ｈに設置されている交信希望受付サーバーで受けるステップ（Ｓ１）と；前記交信希望受付サーバーが前記一方の電話交信希望者の電話機からの呼出アクセスを受けて、前記一方の電話交信希望者の電話機の電話番号を認識し受信した上で、前記一方の電話交信希望者の電話機からの呼出アクセスを断つと共に、受信した前記一方の電話交信希望者の電話機の電話番号をインターネットを通じて電話交信負担の小さい外国地域に設置されている電話交換サーバーに転送するステップ（Ｓ２）と；前記電話交換サーバーが、前記交信希望受付サーバーから転送された前記一方の電話交信希望者の電話機の電話番号を受信し、その電話番号をもって、公衆国際電話回線を通じあるいはインターネット・データ通信網を通じて、前記電話交換サーバーから前記一方の電話交信希望者の電話機を呼び出して、前記一方の電話交信希望者の電話機を前記電話交換サーバーに接続するステップ（Ｓ３）と；前記電話交換サーバーが、前記一方の電話交信希望者の電話交信相手となり得る他方の電話交信希望者の電話機の電話番号が前記電話交換サーバーに既に記憶されているか否かを検索するステップ（Ｓ４）と；その検索の結果、前記電話交換サーバーに前記他方の電話交信希望者の電話番号が既に記憶されている場合、前記電話交換サーバーから、公衆国際電話回線を通じてあるいはインターネット・データ通信網を通じて、待機第一順位の前記他方の電話交信希望者の電話機を呼び出して、その電話機を前記電話交換サーバーに接続し、前記電話交換サーバー介して前記一方の電話交信希望者の電話機と前記他方の電話交信希望者の電話機を接続するステップ（Ｓ５）と；前記一方の電話交信希望者と前記他方の電話交信希望者の電話交信を通して、前記一方の電話交信希望者が、前記他方の電話交信希望者を所望の交信相手であるか否か判断するステップ（Ｓ６）と；前記一方の電話交信希望者が、前記他方の電話交信希望者を所望の交信相手ではないと判断した場合、前記一方の電話交信希望者の電話機から交信相手交替要望信号ｆを発し、前記電話交換サーバーが、その交信相手交替要望信号ｆを受信して、前記一方の電話交信希望者の電話機を、待機第二順位以下の前記他方の電話交信希望者の電話機に順次切換接続するステップ（Ｓ７´）と；前記電話交換サーバーに前記一方の電話交信希望者の電話交信相手となり得る他方の電話交信希望者の電話機の電話番号が既に記憶されていない場合、前記電話交換サーバーから、公衆国際電話回線Ｐを通じてあるいはインターネット・データ通信網を通じて、前記一方の電話交信希望者に対し対応返答を促し、前記一方の電話交信希望者の「待ち」の意思表示に従って、前記電話交換サーバーに新たな他方の電話交信希望者の電話機の電話番号が記憶されるのを待って、その新たな電話交信希望者の電話機を、前記電話交換サーバーから公衆国際電話回線Ｐを通じてあるいはインターネット・データ通信網を通じて呼び出して前記新たな電話交信希望者の電話機と前記電話交換サーバーを接続するステップ（Ｓ５´）を含むことを特徴とする電話交信支援方法。
【請求項４】
電話交信負担の大きい国内地域Ｈに居る一方の電話交信希望者がその国内地域Hに潜在する不特定多数の他方の電話交信希望者の中から所望の交信相手を求めて電話交信するための電話交信支援装置であって、電話交信負担の大きい国内地域に設置されその国内地域に居る一方の電話交信希望者Ｍ１，Ｍ２，Ｍ３・・・の電話機ｍ１，ｍ２，ｍ３・・・あるいは他方の電話交信希望者Ｗ１，Ｗ２，Ｗ３・・・の電話機ｗ１，ｗ２，ｗ３・・・からの呼出アクセスを受けてその電話機ｍ１，ｍ２，ｍ３・・・の電話番号Ｘ１，Ｘ２，Ｘ３・・・あるいはその電話機ｗ１，ｗ２，ｗ３・・・の電話番号Ｙ１，Ｙ２，Ｙ３・・・を受信しその受信後に前記呼出アクセスを受けた電話機との交信を断つと共に、前記受信した電話番号Ｘ１，Ｘ２，Ｘ３・・・あるいはＹ１，Ｙ２，Ｙ３・・・を、電話交信負担の小さい外国地域Ｌにあって前記電話番号Ｘ１，Ｘ２，Ｘ３・・・あるいはＹ１，Ｙ２，Ｙ３・・・を受信してその受信順に記憶する電話交信希望者電話番号記憶機能と公衆国際電話回線あるいはインターネット通信網を通じて前記電話機ｍ１，ｍ２，ｍ３・・・あるいは前記電話機ｗ１，ｗ２，ｗ３・・・を呼び出す電話交信希望者呼出発信機能と前記一方の電話交信希望者の電話機ｍ１，ｍ２，ｍ３・・・の一つと前記他方の電話交信希望者の電話機ｗ１，ｗ２，ｗ３・・・の一つを切換接続する電話交換機能を有する電話交換サーバーに、インターネットを通じて転送する交信希望受付サーバーを含むことを特徴とする電話交信支援装置。
【請求項５】
電話交信負担の大きい国内地域Ｈに居る一方の電話交信希望者がその国内地域Hに潜在する不特定多数の他方の電話交信希望者の中から所望の交信相手を求めて電話交信するための電話交信支援装置であって、電話交信負担の大きい国内地域に設置されその国内地域に居る一方の電話交信希望者Ｍ１，Ｍ２，Ｍ３・・・の電話機ｍ１，ｍ２，ｍ３・・・あるいは他方の電話交信希望者Ｗ１，Ｗ２，Ｗ３・・・の電話機ｗ１，ｗ２，ｗ３・・・からの呼出アクセスを受けてその電話機ｍ１，ｍ２，ｍ３・・・の電話番号Ｘ１，Ｘ２，Ｘ３・・・あるいはその電話機ｗ１，ｗ２，ｗ３・・・の電話番号Ｙ１，Ｙ２，Ｙ３・・・を受信しその受信後に前記呼出アクセスを受けた電話機との交信を断つと共に前記受信した電話番号Ｘ１，Ｘ２，Ｘ３・・・あるいはＹ１，Ｙ２，Ｙ３・・・をインターネットを通じて電話交信負担の小さい外国地域Ｌにある電話交換サーバーに転送する交信希望受付サーバーと、電話交信負担が小さい外国地域に設置され前記交信希望受付サーバーから転送されてきた電話番号Ｘ１，Ｘ２，Ｘ３・・・あるいはＹ１，Ｙ２，Ｙ３・・・を受信してその受信順に記憶する電話交信希望者電話番号記憶機能と公衆国際電話回線あるいはインターネット通信網を通じて前記電話機ｍ１，ｍ２，ｍ３・・・あるいは前記電話機ｗ１，ｗ２，ｗ３・・・を呼び出す電話交信希望者呼出発信機能と前記一方の電話交信希望者の電話機ｍ１，ｍ２，ｍ３・・・の一つと前記他方の電話交信希望者の電話機ｗ１，ｗ２，ｗ３・・・の一つを選択切換接続する電話交換機能を有する電話交換サーバーとを備えたことを特徴とする電話交信支援装置。
【請求項６】
電話交信負担の大きい国内地域Ｈに居る一方の電話交信希望者がその国内地域Hに潜在する不特定多数の他方の電話交信希望者の中から所望の交信相手を求めて電話交信するための電話交信支援装置であって、電話交信負担の大きい国内地域に設置されその国内地域に居る一方の電話交信希望者Ｍ１，Ｍ２，Ｍ３・・・の電話機ｍ１，ｍ２，ｍ３・・・あるいは他方の電話交信希望者Ｗ１，Ｗ２，Ｗ３・・・の電話機ｗ１，ｗ２，ｗ３・・・からの呼出アクセスを受けてその電話機ｍ１，ｍ２，ｍ３・・・の電話番号Ｘ１，Ｘ２，Ｘ３・・・あるいはその電話機ｗ１，ｗ２，ｗ３・・・の電話番号Ｙ１，Ｙ２，Ｙ３・・・を受信しその受信後に前記呼出アクセスを受けた電話機との交信を断つと共に前記受信した電話番号Ｘ１，Ｘ２，Ｘ３・・・あるいはＹ１，Ｙ２，Ｙ３・・・をインターネットを通じて電話交信負担の小さい外国地域Ｌにある電話交換サーバーに転送する交信希望受付サーバーと、電話交信負担が小さい外国地域に設置され前記交信希望受付サーバーから転送されてきた電話番号Ｘ１，Ｘ２，Ｘ３・・・あるいはＹ１，Ｙ２，Ｙ３・・・を受信してその受信順に記憶する電話交信希望者電話番号記憶機能と公衆国際電話回線あるいはインターネット通信網を通じて前記電話機ｍ１，ｍ２，ｍ３・・・あるいは前記電話機ｗ１，ｗ２，ｗ３・・・を呼び出す電話交信希望者呼出発信機能と前記一方の電話交信希望者の電話機ｍ１，ｍ２，ｍ３・・・の一つと前記他方の電話交信希望者の電話機ｗ１，ｗ２，ｗ３・・・の一つを選択切換接続する電話交換機能を有する電話交換サーバーとを備えたことを特徴とする電話交信支援装置。
【発明の詳細な説明】
【０００１】
【発明の属する技術分野】
この発明は、電話交信に要する負担が大きい国内地域に居る不特定多数の電話交信希望者の間で所望の相手を選んで電話交信する電話通信システムであって、電話交信希望者の電話機からの電話交信希望呼出を受けてその電話機の電話番号を認識し受信する交信希望受付サーバーを上記の国内地域に設置すると共に、この交信希望受付サーバーから転送される電話交信希望者の電話機の電話番号を受信し記憶する電話番号記憶機能と、電話交信希望者の電話機を呼び出す電話機呼出発信機能と、電話交信希望者の電話機相互間の接続を切り換える電話交換機能を備えた電話交換サーバーを外国地域に設置し、この外国地域に設置した電話交換サーバーを介して電話交信を希望する国内地域の２者の電話機を選択的に接続することにより、電話交信に要する電話交信希望者の負担を軽減する電話交信支援システムに関するものである。
【０００２】
【従来の技術】
電話通信技術の進化と電話通信網の拡大ならびに電話通信サービスの向上に伴って、不特定多数の電話交信希望者の間で所望の交信相手を求めて電話交信する交信形態が増大している。この種の電話交信は、従来から例えば男性・女性間のいわゆるツー・ショット通話のような個人ベースのものがあるが、多くの製造販売業・サービス業においても、新商品・新サービスのＰＲや市場開発・販路拡大の有効な手段となり得る。そしてこの種の電話交信では一般に交信時間が長くなることから、電話交信コストの低減が強く求められるところである。しかしその要望に応える合理的なコスト低減手段が十分とは言えない。一方、各国・地域の電話通信料には高低格差があり、国際的比較に照らして、電話通信料高額地域が存することは周知である。また電話通信料の国・地域間格差の他に、電話交信するために要する条件が、電話呼出発信する国・地域によって異なることも考えられ、国内より有利な条件で電話交信できる外国が存することも考えられる。
【０００３】
【発明が解決しようとする課題】
このような背景からこの発明は、電話交信負担の大きい国内に居る不特定多数の電話交信希望者の間で所望の交信相手を求めて電話交信する電話通信システムにおいて、現存する電話通信料の国・地域間格差を合理的に利用して電話交信コストを削減し、あるいは電話交信条件の国際的対比において国内地域より有利な外国地域の電話交信条件を利用することによって、この種の電話交信希望者の電話交信負担を軽減しようとするものである。
【０００４】
【課題を解決するための手段】
上記の課題・目的を達するために、この発明は、電話交信負担が大きい国内地域Ｈに居る一方の電話交信希望者の電話機から、公衆電話回線を通じあるいはインターネット・データ通信網を通じて、発信者電話番号自動通知付電話呼出でもって、国内地域Ｈに設置されている交信希望受付サーバーに呼出アクセスし、その交信希望受付サーバーに上記一方の電話交信希望者の電話機の電話番号を通知し、上記交信希望受付サーバーが上記一方の電話交信希望者の電話機からの呼出アクセスを受けて上記一方の電話交信希望者の電話機の電話番号を受信した上で、上記一方の電話交信希望者の電話機からの呼出アクセスを断つと共に、受信した上記一方の電話交信希望者の電話機の電話番号をインターネットを通じて電話交信負担の小さい外国地域に設置されている電話交換サーバーに転送し、上記電話交換サーバーが上記交信希望受付サーバーから転送された上記一方の電話交信希望者の電話機の電話番号を受信し、その電話番号をもって公衆国際電話回線を通じあるいはインターネット・データ通信網を通じて、上記電話交換サーバーから上記一方の電話交信希望者の電話機を呼び出して、上記一方の電話交信希望者の電話機を上記電話交換サーバーに接続し、上記電話交換サーバーが上記一方の電話交信希望者の電話交信相手となり得る他方の電話交信希望者の電話機の電話番号が上記電話交換サーバーに既に記憶されているか否かを検索し、上記電話交換サーバーに上記他方の電話交信希望者の電話機の電話番号が既に記憶されている場合、上記電話交換サーバーから公衆国際電話回線を通じてあるいはインターネット・データ通信網を通じて待機第一順位にある上記他方の電話交信希望者の電話機を呼び出して、その電話機を上記電話交換サーバーに接続し、上記電話交換サーバー介して上記一方の電話交信希望者の電話機と上記他方の電話交信希望者の電話機を接続することにより、電話交信負担の大きい国内地域に居る一方の電話交信希望者と他方の電話交信希望者の間の電話交信を実行する。
【０００５】
また上記の課題・目的を達するために、この発明は、電話交信負担の大きい国内地域に設置されてその国内地域に居る一方の電話交信希望者Ｍ１，Ｍ２，Ｍ３・・・の電話機ｍ１，ｍ２，ｍ３・・・あるいは他方の電話交信希望者Ｗ１，Ｗ２，Ｗ３・・・の電話機ｗ１，ｗ２，ｗ３・・・からの呼出アクセスを受けその電話機ｍ１，ｍ２，ｍ３・・・の電話番号Ｘ１，Ｘ２，Ｘ３・・・あるいはその電話機ｗ１，ｗ２，ｗ３・・・の電話番号Ｙ１，Ｙ２，Ｙ３・・・を受信しその受信後に上記呼出アクセスを受けた電話機との交信を断つと共に上記受信した電話番号Ｘ１，Ｘ２，Ｘ３・・・あるいはＹ１，Ｙ２，Ｙ３・・・を電話交信負担の小さい外国地域Ｌにある電話交換サーバーに転送する交信希望受付サーバーと、上記電話番号Ｘ１，Ｘ２，Ｘ３・・・あるいはＹ１，Ｙ２，Ｙ３・・・を受信してその受信順に記憶する電話交信希望者電話番号記憶機能と公衆国際電話回線あるいはインターネット・データ通信網を通じて上記電話機ｍ１，ｍ２，ｍ３・・・あるいはｗ１，ｗ２，ｗ３・・・を呼び出す電話交信希望者呼出発信機能と上記一方の電話交信希望者の電話機ｍ１，ｍ２，ｍ３・・・の一つと上記他方の電話交信希望者の電話機ｗ１，ｗ２，ｗ３・・・の一つを切換接続する電話交換機能を有して電話交信負担の小さい外国にある電話交換サーバーを備えた電話交信支援装置をもちいて、電話交信負担の大きい国内地域に居る一方の電話交信希望者と他方の電話交信希望者の間の電話交信を実行する。
【０００６】
【発明の実施の形態】
この発明の基本的な実施形態の一つは、電話交信負担の大きい国内地域Ｈに居る一方の電話交信希望者の電話機から、公衆電話回線を通じあるいはインターネット・データ通信網を通じて、発信者電話番号自動通知付電話呼出でもって、国内地域Ｈに設置されている交信希望受付サーバーに呼出アクセスし、その交信希望受付サーバーに前記一方の電話交信希望者の電話機の電話番号を通知するステップ（Ｓ１）と；前記交信希望受付サーバーが前記一方の電話交信希望者の電話機からの呼出アクセスを受けて、前記一方の電話交信希望者の電話機の電話番号を認識し受信した上で、前記一方の電話交信希望者の電話機からの呼出アクセスを断つと共に、受信した前記一方の電話交信希望者の電話機の電話番号をインターネットを通じて電話交信負担の小さい外国地域に設置されている電話交換サーバーに転送するステップ（Ｓ２）と；前記電話交換サーバーが、前記交信希望受付サーバーから転送された前記一方の電話交信希望者の電話機の電話番号を受信し、その電話番号をもって、公衆国際電話回線を通じあるいはインターネット・データ通信網を通じて、前記電話交換サーバーから前記一方の電話交信希望者の電話機を呼び出して、前記一方の電話交信希望者の電話機を前記電話交換サーバーに接続するステップ（Ｓ３）と；前記電話交換サーバーが、前記一方の電話交信希望者の電話交信相手となり得る他方の電話交信希望者の電話機の電話番号が前記電話交換サーバーに既に記憶されているか否かを検索する（すなわち待機中の交信相手の有無を検索する）ステップ（Ｓ４）と；その検索の結果、前記電話交換サーバーに前記他方の電話交信希望者の電話番号が既に記憶されている場合、前記電話交換サーバーから、公衆国際電話回線を通じてあるいはインターネット・データ通信網を通じて、待機第一順位の前記他方の電話交信希望者の電話機を呼び出して、その電話機を前記電話交換サーバーに接続し、前記電話交換サーバー介して前記一方の電話交信希望者の電話機と前記他方の電話交信希望者の電話機を接続するステップ（Ｓ５）と；前記一方の電話交信希望者と前記他方の電話交信希望者の電話交信を通して、前記一方の電話交信希望者が、前記他方の電話交信希望者を所望の交信相手であるか否か判断するステップ（Ｓ６）と；前記一方の電話交信希望者が、前記他方の電話交信希望者を所望の交信相手ではないと判断した場合、前記一方の電話交信希望者の電話機から交信相手交替要望信号ｆを発し、前記電話交換サーバーが、その交信相手交替要望信号ｆを受信して、前記一方の電話交信希望者の電話機を、待機第二順位以下の前記他方の電話交信希望者の電話機に順次切換接続するステップ（Ｓ７´）と；前記電話交換サーバーに前記一方の電話交信希望者の電話交信相手となり得る他方の電話交信希望者の電話機の電話番号が既に記憶されていない場合、前記電話交換サーバーから、公衆国際電話回線Ｐを通じてあるいはインターネット・データ通信網を通じて、前記一方の電話交信希望者に対し対応返答を促し、前記一方の電話交信希望者の「待ち」の意思表示に従って、前記電話交換サーバーに新たな他方の電話交信希望者の電話機の電話番号が記憶されるのを待って、その新たな電話交信希望���の電話機を、前記電話交換サーバーから公衆国際電話回線Ｐを通じてあるいはインターネット・データ通信網を通じて呼び出して前記新たな電話交信希望者の電話機と前記電話交換サーバーを接続するステップ（Ｓ５´）からなる電話交信支援方法である。
【０００７】
この発明の他の実施形態は、電話交信負担の大きい国内地域に設置されその国内地域に居る一方の電話交信希望者Ｍ１，Ｍ２，Ｍ３・・・の電話機ｍ１，ｍ２，ｍ３・・・あるいは他方の電話交信希望者Ｗ１，Ｗ２，Ｗ３・・・の電話機ｗ１，ｗ２，ｗ３・・・からの呼出アクセスを受けてその電話機ｍ１，ｍ２，ｍ３・・・の電話番号Ｘ１，Ｘ２，Ｘ３・・・あるいはその電話機ｗ１，ｗ２，ｗ３・・・の電話番号Ｙ１，Ｙ２，Ｙ３・・・を受信しその受信後に前記呼出アクセスを受けた電話機との交信を断つと共に前記受信した電話番号Ｘ１，Ｘ２，Ｘ３・・・あるいはＹ１，Ｙ２，Ｙ３・・・をインターネットを通じて電話交信負担の小さい外国地域Ｌにある電話交換サーバーに転送する交信希望受付サーバーと、電話交信負担が小さい外国地域に設置され前記交信希望受付サーバーから転送されてきた電話番号Ｘ１，Ｘ２，Ｘ３・・・あるいはＹ１，Ｙ２，Ｙ３・・・を受信してその受信順に記憶する電話交信希望者電話番号記憶機能と公衆国際電話回線あるいはインターネット通信網を通じて前記電話機ｍ１，ｍ２，ｍ３・・・あるいは前記電話機ｗ１，ｗ２，ｗ３・・・を呼び出す電話交信希望者呼出発信機能と前記一方の電話交信希望者の電話機ｍ１，ｍ２，ｍ３・・・の一つと前記他方の電話交信希望者の電話機ｗ１，ｗ２，ｗ３・・・の一つを選択切換接続する電話交換機能を有する電話交換サーバーとを備えた電話交信支援装置である。
【０００８】
【実施例】
以下この発明の実施例を、図面を参考に説明する。図１はこの発明に係る電話交信支援装置の基本構成の一例を示し、図２はこの発明に係る電話交信支援方法のフロー図である。
【０００９】
Ｈは、互いに電話交信を希望する不特定多数の電話交信希望相手が共に居る国内地域であって、その国内地域は、国際的比較において、電話通信料高額地域あるいは電話交信に関する規制が強いなど、電話発信地としての電話交信負担の大きい国地域である。Ｌは、上記の国内地域外の外国地域であって、その外国地域は、国際的比較において、電話通信料低額地域あるいは電話交信に関する規制が緩いなど、電話発信地としての電話交信負担の小さい国地域である。
【００１０】
Ｍは、国内地域Ｈに居て同じ国内地域Ｈに居る不特定多数の電話交信希望者の中から選んだ相手方と相互の目的にかなう電話交信を望む電話交信希望者群であり、電話交信希望者Ｍ１，Ｍ２，Ｍ３・・・からなる。Ｗは、同様に国内地域Ｈに居て同じ国内地域Ｈにいる不特定多数の電話交信希望者の中から選んだ相手方と相互の目的にかなう電話交信を望む他の一群の電話交信希望者群で、電話交信希望者Ｗ１，Ｗ２，Ｗ３・・・からなる。ｍ１，ｍ２，ｍ３・・・はそれぞれ電話交信希望者Ｍ１，Ｍ２，Ｍ３・・・の電話機で、Ｘ１，Ｘ２，Ｘ３・・・はそれぞれ電話機ｍ１，ｍ２，ｍ３・・・の電話番号である。ｗ１，ｗ２，ｗ３・・・はそれぞれ電話交信希望者Ｗ１，Ｗ２，Ｗ３・・・の電話機で、Ｙ１，Ｙ２，Ｙ３・・・はそれぞれ電話機ｗ１，ｗ２，ｗ３・・・の電話番号である。なお、電話交信希望者Ｍ１，Ｍ２，Ｍ３・・・ならびに電話交信希望者Ｗ１，Ｗ２，Ｗ３・・・、および電話機ｍ１，ｍ２，ｍ３・・・ならびに電話機ｗ１，ｗ２，ｗ３・・・は同じ国内地域Ｈにあることは言うまでもない。
【００１１】
また、一方の電話交信希望者群Ｍの交信希望目的と他方の電話交信希望者群Ｗの交信希望目的は相互に相手方の目的を満たす授受関係にある。例えば、電話交信希望者Ｍ１，Ｍ２，Ｍ３・・・が女性との交信を希望する男性であって電話交信希望者Ｗ１，Ｗ２，Ｗ３・・・が男性との交信を希望する女性である場合、あるいは電話交信希望者Ｍ１，Ｍ２，Ｍ３・・・が新商品・新サービスに関する情報を提供したい企業であって電話交信希望者Ｗ１，Ｗ２，Ｗ３・・・が新商品・新サービスの情報を得たい消費者である場合などである。
【００１２】
Ａは交信希望受付サーバー（コンピュータ）、Ｂは電話交換サーバー（コンピュータ）で、交信希望受付サーバーＡならびに電話交換サーバーＢは電話交信支援サービス業者が所有あるいは管理している。そして交信希望受付サーバーＡは前記の電話交信負担の大きい国内地域Ｈに設置され、電話交換サーバーＢは前記の電話交信負担の小さい外国地域Ｌに設置され、交信希望受付サーバーＡと電話交換サーバーＢはインターネットＮを介して接続されている。
【００１３】
交信希望受付サーバーＡは、電話交信希望者Ｍ１，Ｍ２，Ｍ３・・・の電話機ｍ１，ｍ２，ｍ３・・・あるいは電話交信希望者Ｗ１，Ｗ２，Ｗ３・・・の電話機ｗ１，ｗ２，ｗ３・・・からの呼出アクセスを受けて、その電話機の電話番号（発信者電話番号、すなわち電話交信希望者電話番号）Ｘ１，Ｘ２，Ｘ３・・・あるいはＹ１，Ｙ２，Ｙ３・・・を認識してこれを受信し、その受信後に前記呼出アクセスを受けた電話機との交信を直ちに断つと共に、前記受信した電話番号Ｘ１，Ｘ２，Ｘ３・・・あるいはＹ１，Ｙ２，Ｙ３・・・をインターネットＮを通じて外国地域Ｌにある電話交換サーバーＢに転送するものである。
【００１４】
また、電話機ｍ１，ｍ２，ｍ３・・・から交信希望受付サーバーＡへの上記の呼出アクセスは、電話交信希望者群Ｍの電話交信希望者Ｍ１，Ｍ２，Ｍ３・・・が電話交信希望者群Ｗの電話交信希望者Ｗ１，Ｗ２，Ｗ３・・・との電話交信を希望して電話交信支援サービス業者にそのための電話交換サービスを求める起点となるものであり、同様に電話機ｗ１，ｗ２，ｗ３・・・から交信希望受付サーバーＡへの上記の呼出アクセスは、電話交信希望者群Ｗの電話交信希望者Ｗ１，Ｗ２，Ｗ３・・・が電話交信希望者群Ｍの電話交信希望者Ｍ１，Ｍ２，Ｍ３・・・との電話交信を希望して電話交信支援サービス業者にそのための電話交換サービスを求める起点となるものである。なおＺは、交信希望受付サーバーＡの受信用の電話番号である。
【００１５】
図示の実施例では、各電話機ｍ１，ｍ２，ｍ３・・・あるいはｗ１，ｗ２，ｗ３・・・から交信希望受付サーバーAへの呼出アクセスは公衆電話回線Ｐ´を通じて行なわれている。すなわち、電話交信希望者Ｍ１，Ｍ２，Ｍ３・・・あるいはＷ１，Ｗ２，Ｗ３・・・が、各自の電話機ｍ１，ｍ２，ｍ３・・・あるいはｗ１，ｗ２，ｗ３・・・から、交信希望受付サーバーＡの電話番号Ｚに発信者番号通知サービス・コード「１８６」を付加した発信電話番号「１８６+Ｚ」をもって、交信希望受付サーバーＡに対し発信者電話番号自動通知付電話呼出をかけ、交信希望受付サーバーＡがこの呼出アクセスを受けることにより、交信希望受付サーバーＡがその呼出アクセスに係る発信者電話番号（電話交信希望者電話番号）を認識して受信し、次いでその電話交信希望者電話番号Ｘ１，Ｘ２，Ｘ３・・・あるいはＹ１，Ｙ２，Ｙ３・・・をインターネットＮを通じて電話交換サーバーＢに転送する。
【００１６】
また、各電話機ｍ１，ｍ２，ｍ３・・・あるいはｗ１，ｗ２，ｗ３・・・から交信希望受付サーバーAへ呼出アクセスする別の手段として、公衆電話回線Ｐ´を用いる代わりに、各電話機ｍ１，ｍ２，ｍ３・・・あるいはｗ１，ｗ２，ｗ３・・・からインターネットを通じたデータ通信手段によってその電話番号Ｘ１，Ｘ２，Ｘ３・・・あるいはＹ１，Ｙ２，Ｙ・・・を交信希望受付サーバーAへ通知することもできる。
【００１７】
電話交換サーバーＢは、交信希望受付サーバーＡから転送されてきた前記の電話機ｍ１．ｍ２．ｍ３・・・あるいはｗ１，ｗ２，ｗ３・・・の各電話番号Ｘ１，Ｘ２，Ｘ３・・・あるいはＹ１，Ｙ２，Ｙ３・・・を受信してその受信順に記憶する電話番号記憶機能（電話交信希望者電話番号記憶機能）と、公衆国際電話回線Ｐあるいはインターネット通信網を通じて（図示の実施例では公衆国際電話回線Ｐを通じて）各電話交信希望者Ｍ１，Ｍ２，Ｍ３・・・あるいはＷ１，Ｗ２，Ｗ３・・・の電話機ｍ１，ｍ２，ｍ３・・・あるいはｗ１，ｗ２，ｗ３・・・を呼び出す電話機呼出発信機能（電話交信希望者電話呼出発信機能）と、一方の電話交信希望者群の電話機（例えば電話交信希望者群Ｍの電話機ｍ１，ｍ２，ｍ３・・・）の一つと他方の電話交信希望者群の電話機（例えば電話交信希望者群Ｗの電話機ｗ１，ｗ２，ｗ３・・・）の一つを切換接続する電話交換機能（電話交換希望者電話交換機能）を備えている。
【００１８】
そして電話交換サーバーＢは、交信希望受付サーバーAに電話交信相手を求めて呼出アクセスしてきた一方の電話交信希望者群に属するの一人の電話交信希望者の電話機（例えば電話交信希望者群Ｍに属する電話交信希望者Ｍ１の電話機ｍ１）を、既に電話交換サーバーＢに電話番号が記憶されている他方の電話交信希望者群（すなわち電話交信希望者群Ｗ）の電話機ｗ１，ｗ２，ｗ３・・・の中でその電話番号Ｙ１，Ｙ２，Ｙ３・・・の受信・記憶時点が最も早く従って最も長く交信待機している一つの電話機（例えば電話交信希望者Ｗ１の電話機ｗ１）に接続し、更に上記電話交信希望者Ｍ１の操作によって電話機ｍ１から発せられる交信相手交替要望信号ｆを受信して、同電話機ｍ１を電話交信希望者群Ｗの他の電話機ｗ２，ｗ３・・・に、その電話番号Ｙ２，Ｙ３・・・の受信・記憶時点の早い順すなわち交信待機時間の長い順に順次切換接続するものである。
【００１９】
そこで電話交信希望者群Ｍに属する電話交信希望者Ｍ１，Ｍ２，Ｍ３・・・あるいは電話交信希望者群Wに属する電話交信希望者W１，W２，W３・・・が、交信希望受付サーバーＡの電話番号Ｚに発信者番号通知サービス・コード「１８６」を付加した発信電話番号「１８６+Ｚ」をもって、公衆電話回線Ｐ´を通じて、あるいはインターネットを通じたデータ通信により、交信希望受付サーバーＡに発信者電話番号自動通知付電話呼出で呼出アクセスすると、交信希望受付サーバーＡはその呼出アクセスを受けて、電話交信希望者Ｍ１，Ｍ２，Ｍ３・・・の電話機ｍ１，ｍ２，ｍ３・・・の電話番号Ｘ１，Ｘ２，Ｘ３・・・あるいは電話交信希望者Ｗ１，Ｗ２，Ｗ３・・・の電話機ｗ１，ｗ２，ｗ３・・・の電話番号Ｙ１，Ｙ２，Ｙ３・・・を認識して受信し、その電話番号Ｘ１，Ｘ２，Ｘ３・・・あるいはＹ１，Ｙ２，Ｙ３・・・をインターネットＮを通じて電話交換サーバーBに転送すると共に、前記電話交信希望者Ｍ１，Ｍ２，Ｍ３・・・あるいはW１，W２，W３・・・からの呼出アクセスを直ちに断つ。
【００２０】
そして電話交換サーバーBにおいては、交信希望受付サーバーＡから受信した電話番号Ｘ１，Ｘ２，Ｘ３・・・あるいはＹ１，Ｙ２，Ｙ３・・・が受信順に記憶される。したがって電話交信希望者M１，Ｍ２，Ｍ３・・・あるいはＷ１，Ｗ２，Ｗ３・・・が未だ現れていないときには電話交換サーバーBに電話交信希望者の電話番号Ｘ１，Ｘ２，Ｘ３・・・あるいはＹ１，Ｙ２，Ｙ３・・・は何も記憶されていない。
【００２１】
電話交信希望者M１，Ｍ２，Ｍ３・・・あるいはＷ１，Ｗ２，Ｗ３・・・が交信希望受付サーバーＡに既にアクセスしてその電話番号Ｘ１，Ｘ２，Ｘ３・・・あるいはＹ１，Ｙ２，Ｙ３・・・が電話交換サーバーＢに記憶されている状態において、一方の電話交信希望者群の一人の電話交信希望者、例えば一方の電話交信希望者群Ｍの電話交信希望者Ｍ１が、他方の電話交信希望者群Wの電話交信希望者との電話交信を求めて、交信希望受付サーバーＡに発信者電話番号自動通知付電話呼出で呼出アクセスすると、交信希望受付サーバーＡは電話交信希望者Ｍ１の電話機ｍ１の電話番号Ｘ１を受信して直ちにその電話機ｍ１のアクセス断つと共に、その受信した電話番号Ｘ１を外国地域にある電話交換サーバーBに転送する。
【００２２】
そして電話交換サーバーＢは、交信希望受付サーバーＡから転送された電話番号Ｘ１を受信し、その電話番号Ｘ１を基に電話交換サーバーＢから電話交信希望者Ｍ１の電話機ｍ１を呼び出して電話交信希望者Ｍ１の電話機ｍ１と電話交換サーバーＢを接続状態にすると共に、電話交換サーバーＢに電話番号Ｙ１，Ｙ２，Ｙ３・・・が記憶されている電話交信希望者群Ｗの電話機ｗ１，ｗ２，ｗ３・・・の中でその電話番号Ｙ１，Ｙ２，Ｙ３・・・の受信・記憶時点が最も早かった一つの電話機ｗ１を電話交換サーバーＢから呼び出してその電話機ｗ１と電話交換サーバーＢを接続状態にする。この結果、国内地域に居る電話交信希望者群Ｍの電話交信希望者Ｍ１の電話機ｍ１と電話交信希望者群Ｗの電話交信希望者Ｗ１の電話機ｗ１とが外国に設置されている電話交換サーバーＢを介して接続され、一方の電話交信希望者Ｍ１と他方の電話交信希望者Ｗ１との電話交信が可能となるものである。またその後に、電話交信希望者Ｍ１の操作によって電話機ｍ１から発せられる交信相手交替要望信号ｆが発せられると、電話交換サーバーＢはその交信相手交替要望信号ｆを受信して、電話機ｍ１を電話交信希望者群Ｗの他の電話機ｗ２，ｗ３・・・に、その電話番号Ｙ２，Ｙ３・・・の受信・記憶時点の早い順すなわち交信待機時間の長い順に順次切換接続するものである。
【００２３】
なお上記の説明は、電話交信希望者群Ｍの電話交信希望者Ｍ１，Ｍ２，Ｍ３・・・の方から電話交信希望者群Ｗの電話交信希望者Ｗ１，Ｗ２，Ｗ３・・・を求めた例についての説明であるが、電話交信希望者群Ｗの電話交信希望者Ｗ１，Ｗ２，Ｗ３・・・の中の一人から電話交信希望者群Ｍの電話交信希望者Ｍ１，Ｍ２，Ｍ３・・・の中の一人を交信相手に選ぶ場合も、電話交信希望者Ｍ１，Ｍ２，Ｍ３・・・と電話交信希望者Ｗ１，Ｗ２，Ｗ３・・・の立場が相互に入れ換わるだけで、同様に電話交信希望者群Ｗの電話交信希望者Ｗ１，Ｗ２，Ｗ３・・・からの働きかけを基に、共に国内にいる電話交信希望者群Ｗの電話交信希望者Ｗ１Ｗ１，Ｗ２，Ｗ３・・・と電話交信希望者群Ｗの電話交信希望者Ｍ１，Ｍ２，Ｍ３・・・との電話交信が外国に設置されている電話交換サーバーＢを介して可能となるものである。
【００２４】
この発明の電話交信支援方法は、上記の電話通信システムの環境下において、図２に示すような次のステップで実行される。ここでは一つの代表例として、電話交信希望者群Ｍに属する電話交信希望者Ｍ１が，電話交信希望者群Ｗに属する電話交信希望者Ｗ１，Ｗ２，Ｗ３・・・の中から適切な交信相手を求めて電話交信する事例について説明する。
【００２５】
［ステップ（Ｓ１）］：電話交信負担の大きい国内地域Ｈに居る電話交信希望者Ｍ１が、国内地域Hに潜在する不特定多数の電話交信希望者Ｗ１，Ｗ２，Ｗ３・・・の中から所望の電話交信相手を求めて、電話交信希望者Ｍ１の電話機ｍ１（電話番号Ｘ１）から、公衆電話回線Ｐ´を通じあるいはインターネット・データ通信網を通じて、発信者電話番号自動通知付電話呼出でもって、国内地域Ｈに設置されている交信希望受付サーバーＡに呼出アクセスし、交信希望受付サーバーＡに電話機ｍ１の電話番号Ｘ１を通知する。
【００２６】
［ステップ（Ｓ２）］：交信希望受付サーバーＡが、電話機ｍ１からの呼出アクセスを受けて、電話交信希望者Ｍ１の電話機ｍ１の電話番号Ｘ１を認識し受信した上で、電話機ｍ１に対し“受け付けました。一旦電話を切って、折り返しの電話をお待ちください”のメッセージを発して電話機ｍ１のアクセスを断つと共に、受信した電話番号Ｘ１をインターネットＮを通じて電話交信負担の小さい外国地域に設置されている電話交換サーバーＢに転送する。
【００２７】
［ステップ（Ｓ３）］：電話交換サーバーＢが、交信希望受付サーバーＡから転送された電話番号Ｘ１を受信し、公衆国際電話回線Ｐを通じあるいはインターネット・データ通信網を通じて、電話番号Ｘ１をもって、電話交換サーバーＢから電話機ｍ１を呼び出して、電話交信希望者Ｍ１の電話機ｍ１を電話交換サーバーＢに接続する。
【００２８】
［ステップ（Ｓ４）］：の電話交換サーバーＢが、電話交信希望者Ｍ１の電話交信相手となり得る電話交信希望者Ｗ１，Ｗ２，Ｗ３・・・の電話機ｗ１，ｗ２，ｗ３・・・の電話番号Ｙ１，Ｙ２，Ｙ３・・・が電話交換サーバーＢに既に記憶されているか否かを検索する。
【００２９】
［ステップ（Ｓ５）］：［ステップ（Ｓ４）］の検索の結果、電話交換サーバーＢに電話番号Ｙ１，Ｙ２，Ｙ３・・・が既に記憶され電話交信希望者Ｗ１，Ｗ２，Ｗ３・・・が交信待機している場合（「ＹＥＳ」の場合）、電話交換サーバーＢから、公衆国際電話回線Ｐを通じてあるいはインターネット・データ通信網を通じて、待機第一順位の電話交信希望者Ｗ１の電話機ｗ１をを呼び出して、電話機ｗ１を電話交換サーバーＢに接続し、電話交換サーバーＢを介して電話機ｍ１と電話機ｗ１を接続する。その結果、電話交信負担の小さい外国地域に設置されている電話交換サーバーＢを介して電話交信希望者Ｍ１と電話交信希望者Ｗ１の電話交信が可能となる。
【００３０】
［ステップ（Ｓ６）］：電話交信希望者Ｍ１と電話交信希望者Ｗ１の電話交信を通して、電話交信希望者Ｍ１が、電話交信希望者Ｗ１を所望の交信相手であるか否か判断する。
【００３１】
［ステップ（Ｓ７）］：［ステップ（Ｓ６）］の判断の結果、電話交信希望者Ｍ１が、電話交信希望者Ｗ１を適当な交信相手であると判断した場合（「ＹＥＳ」の場合）、電話交信希望者Ｍ１と電話交信希望者Ｗ１の間の電話交信が続いた後、両者の電話交信が終了する。
【００３２】
［ステップ（Ｓ７´）］：［ステップ（Ｓ６）］の判断の結果、電話交信希望者Ｍ１が、電話交信希望者Ｗ１を適当な交信相手ではないと判断した場合（「ＮＯ」の場合）、電話交信希望者Ｍ１の操作によって（例えば電話機ｍ１の＃キーを押すことによって）、電話機ｍ１から交信相手交替要望信号ｆを発することにより、電話交換サーバーＢが、交信相手交替要望信号ｆを受信して、電話交信希望者Ｍ１の電話機ｍ１を、待機第二順位の電話交信希望者Ｗ２の電話機ｗ２に切換接続し、電話交信希望者Ｍ１と電話交信希望者Ｗ２の間の電話交信を可能として［ステップ（Ｓ６）］の段階に戻る。そしてまた、電話機ｍ１から交信相手交替要望信号ｆが発せられる毎に、電話交換サーバーＢが、電話交信希望者Ｍ１の電話機ｍ１を、待機第三位以下の電話交信希望者Ｗ３，Ｗ４・・・の電話機ｗ３、ｗ４・・・へ順次切換接続する。
【００３３】
［ステップ（Ｓ５´）］：［ステップ（Ｓ４）］の検索の結果、電話交換サーバーＢに、電話交信希望者群Ｗの電話交信希望者Ｗ１，Ｗ２，Ｗ３・・・の電話番号Ｙ１，Ｙ２，Ｙ３・・・が未だ記憶されておらず、電話交信希望者Ｗ１，Ｗ２，Ｗ３・・・が未だ待機していない場合（「ＮＯ」の場合）は、電話交換サーバーＢから、公衆国際電話回線Ｐを通じてあるいはインターネット・データ通信網を通じて、電話交信希望者Ｍ１の電話機ｍ１に対し“只今待機している相手方がいませんが、そのまま「待ち」ますか？”のメッセージを送って電話交信希望者Ｍ１の返答を促す。そして電話交信希望者Ｍ１が電話端末機ｍ１のキー操作によって「待ち」（「ＹＥＳ」）の意思表示をすれば、電話交信希望者群Ｗに属する電話交信希望者Ｗ１が現れるのを待ち、電話交信希望者Ｗ１の電話機ｗ１の電話番号Ｙ１が電話交換サーバーＢに記憶された時に、電話交換サーバーＢから、公衆国際電話回線Ｐを通じてあるいはインターネット・データ通信網を通じて、電話交信希望者Ｗ１の電話機ｗ１を呼び出して電話機ｗ１と電話交換サーバーＢを接続する。その結果、外国地域に設置されている電話交換サーバーＢを介して電話機ｍ１と電話機ｗ１が接続されて電話交信希望者M１と電話交信希望者Ｗ１の電話交信が可能となる。また電話交信希望者Ｍ１が電話端末機ｍ１のキー操作によって「キャンセル」（「ＮＯ」）の意思表示をすれば、電話交換サーバーＢが、電話交換サーバーＢと電話機ｍ１との接続を断って、電話交信希望者Ｍ１の交信希望がキャンセルされる。
【００３４】
なお、上記の実施例は、電話交信希望者群Ｍの電話交信希望者Ｍ１，Ｍ２，Ｍ３・・・の方から電話交信希望者群Ｗの電話交信希望者Ｗ１，Ｗ２，Ｗ３・・・を交信相手として求めた例であるが、電話交信希望者群Ｗの電話交信希望者Ｗ１，Ｗ２，Ｗ３・・・の方から電話交信希望者群Ｍの電話交信希望者Ｍ１，Ｍ２，Ｍ３・・・を交信相手として求める場合も、電話交信希望者Ｍ１，Ｍ２，Ｍ３・・・と電話交信希望者Ｗ１，Ｗ２，Ｗ３・・・の立場が相互に入れ換わるだけで、上記と同様のステップをたどって電話交信が実行される。
【００３５】
このように電話通信料や電話交信における制約的条件などの面で電話交信負担の大きい国内地域に居る電話交信希望者Ｍ１，Ｍ２，Ｍ３・・・と電話交信希望者Ｗ１，Ｗ２，Ｗ３・・・の間の電話交信であっても、電話交信サービスを受けるために、当初に電話交信希望者Ｍ１，Ｍ２，Ｍ３・・・の電話機ｍ１，ｍ２，ｍ３・・・あるいは電話交信希望者Ｗ１，Ｗ２，Ｗ３・・・の電話機ｗ１，ｗ２，ｗ３・・・から交信希望受付サーバーＡにアクセスしている時間は極めて短時間であってそれに要する電話通信料は極めて低額であり、電話交信希望者Ｍ１，Ｍ２，Ｍ３・・・と電話交信希望者Ｗ１，Ｗ２，Ｗ３・・・間の長時間にわたる電話交信は、電話交信負担の小さい外国地域にある電話交換サーバーＢからの格安電話通信による呼出接続によって、その電話交換サーバーＢを介して、電話交信希望者Ｍ１，Ｍ２，Ｍ３・・・の電話機ｍ１，ｍ２，ｍ３・・・と電話交信希望者Ｗ１，Ｗ２，Ｗ３・・・の電話機ｗ１，ｗ２，ｗ３・・・が接続されて実行されるので、この種の電話交信希望者に掛かる電話交信負担は格段に低減される。
【００３６】
【発明の効果】
上記の実施例からも明らかなように、この発明によれば、電話交信負担が大きい国内地域に居る不特定多数の電話交信希望者の間で所望の相手を選んで電話交信する電話通信システムにおいて、電話交信希望者の電話機からの発信者電話番号自動通知付電話呼出を受けてその電話機の電話番号を認識し受信する交信希望受付サーバーを電話交信負担の大きい国内地域に設置すると共に、この交信希望受付サーバーから転送される電話交信希望者の電話機の電話番号を受信し記憶する電話番号記憶機能と、電話交信希望者の電話機を呼び出す電話機呼出発信機能と、電話交信希望者の電話機相互間の接続を切り換える電話交換機能を備えた電話交換サーバーを電話交信負担の小さい外国地域に設置し、この外国地域に設置した電話交換サーバーを介して電話交信を希望する国内地域の２者の電話機を選択的に接続することにより、電話交信に要する電話交信希望者の負担を格段に軽減することができる。
【図面の簡単な説明】
【図１】この発明の実施例を示す電話交信支援装置の基本構成図。
【図２】この発明の実施例を示す電話交信支援方法のフロー図。
【符号の説明】
Ａ  ：  交信希望受付サーバー
Ｂ  ：  電話交換サーバー
ｆ  ：  交信相手交替要望信号
Ｈ  ：  国内地域（電話通信料高額地域）
Ｌ  ：  外国地域（電話通信料低額地域）
Ｎ  ：  インターネット
Ｐ  ：  公衆国際電話回線
Ｐ´：  公衆電話回線
Ｍ  ：  電話交信希望者群
Ｗ  ：  電話交信希望者群
Ｍ１，Ｍ２，Ｍ３・・・  ：  電話交信希望者
Ｗ１，Ｗ２，Ｗ３・・・  ：  電話交信希望者
ｍ１，ｍ２，ｍ３・・・  ：  電話機
ｗ１，ｗ２，ｗ３・・・  ：  電話機
Ｘ１，Ｘ２，Ｘ３  ：  電話機ｍ１，ｍ２，ｍ３・・・の電話番号
（発信者電話番号／電話交信希望者電話番号）
Ｙ１，Ｙ２，Ｙ３  ：  電話機ｗ１，ｗ２，ｗ３・・・の電話番号
（発信者電話番号／電話交信希望者電話番号）
Ｚ  ：  交信希望受付サーバーＡの電話番号
【図１】
0003641805.tif 000002
【図２】
0003641805.tif 000003